(57)【特許請求の範囲】
【請求項１】
サーバーに予め登録された携帯端末を介して受信したユーザコンテキストを用いてユーザ方位を算出するステップと、
前記算出されたユーザ方位とユーザ位置領域の環境情報ソースとを比較するステップと、
前記比較結果に応じてユーザアテンションがあるか否かを判断するステップと、
前記ユーザアテンションがあると判断されれば、前記ユーザアテンションのあるサービスを提供するステップとを含み、
前記サービスを提供するステップは、
ユーザ移動によってサービスを提供する領域が変化する地点にて、以前のサービスデバイスの活性化を維持しながら前記移動経路に位置する他のサービスデバイスを同時に活性化させ、
前記ユーザコンテキストが、ユーザＩＤ情報、時間情報、及び２つの座標である位置情報を含み、
前記ユーザ方位の算出ステップが、前記位置情報を用いて前記ユーザ方位を算出すること、
を特徴とするユーザのコンテキストを考慮したサービス提供方法。
【請求項２】
前記環境情報ソースが、ユーザ位置情報に該当する領域に存在するサービスデバイスが位置した方位情報であり、
前記比較ステップが、ユーザがみている方向と前記サービスデバイスが位置した方向とを比較することを特徴とする請求項１に記載のユーザのコンテキストを考慮したサービス提供方法。
【請求項３】
前記判断ステップが、前記ユーザがみている方向と前記サービスデバイスのうち位置した方向が一致する少なくとも１つに前記ユーザアテンションがあると判断することを特徴とする請求項１に記載のユーザのコンテキストを考慮したサービス提供方法。
【請求項４】
前記ユーザアテンションがあると判断すれば、前記サービス提供に必要な情報をフィルタリングするステップを更に含むことを特徴とする請求項１に記載のユーザのコンテキストを考慮したサービス提供方法。
【請求項５】
前記フィルタリングステップが、前記ユーザアテンションのあるサービスデバイス情報をフィルタリングし、前記フィルタリングした前記サービスデバイス情報に該当するユーザ情報をフィルタリングすることを特徴とする請求項４に記載のユーザのコンテキストを考慮したサービス提供方法。
【請求項６】
前記サービス提供ステップが、前記サービス提供中である前記サービスデバイスに他のユーザアテンションがあると判断すれば、前記サービスが共有されるべく提供することを特徴とする請求項１に記載のユーザのコンテキストを考慮したサービス提供方法。
【請求項７】
サービス提供装置であるサーバーに予め登録された携帯端末を介して受信したユーザコンテキストを利用してユーザ方位を算出し、前記算出されたユーザ方位とユーザ位置領域の環境情報ソースを比較してユーザアテンションがあるか否かを判断し、前記ユーザアテンションがあると判断されれば、前記ユーザアテンションのあるサービスを提供し、
ユーザ移動によってサービスを提供する領域が変化する地点にて、以前のサービスデバイスの活性化を維持しながら前記移動経路に位置する他のサービスデバイスを同時に活性化させ、
前記ユーザコンテキストが、ユーザＩＤ情報、時間情報、及び２つの座標である位置情報を含み、
前記ユーザ方位の算出ステップが、前記位置情報を用いて前記ユーザ方位を算出すること、
を特徴とするサービス提供装置。
【請求項８】
前記環境情報ソースが、ユーザ位置情報に該当する領域に存在するサービスデバイスが位置した方位情報であり、
前記サービス提供装置が、ユーザがみている方向と前記サービスデバイスが位置した方向とを比較することを特徴とする請求項７に記載のサービス提供装置。
【請求項９】
前記サービス提供装置が、前記ユーザがみている方向と前記サービスデバイスのうち位置した方向が一致する少なくとも１つに前記ユーザアテンションがあると判断することを特徴とする請求項７に記載のサービス提供装置。
【請求項１０】
前記ユーザアテンションがあると判断されれば、前記サービス提供に必要な情報をフィルタリングすることを特徴とする請求項７に記載のサービス提供装置。
【請求項１１】
前記ユーザアテンションのあるサービスデバイス情報をフィルタリングし、前記フィルタリングした前記サービスデバイス情報に該当するユーザ情報をフィルタリングすることを特徴とする請求項１０に記載のサービス提供装置。
【請求項１２】
前記サービス提供装置が、前記サービス提供中である前記サービスデバイスに他のユーザアテンションがあると判断されれば、前記サービスが共有されるべく提供することを特徴とする請求項７に記載のサービス提供装置。
【請求項１３】
ユーザ位置認識のためにＩＤ信号を発信する発信センサー部と、
前記発信されたＩＤ信号を受信する受信センサー部とを含み、前記受信したＩＤ信号によるユーザ位置情報を含んだユーザコンテキストを送信する携帯端末と、
前記携帯端末から受信した前記ユーザコンテキストを利用してサービスを提供するサーバーを含み、
前記携帯端末は前記サーバーに予め登録されたものであり、
前記サーバーはユーザ移動によってサービスを提供する領域が変化する地点にて、以前のサービスデバイスの活性化を維持しながら前記移動経路に位置する他のサービスデバイスを同時に活性化させ、
前記発信センサー部はＩＲ発信センサーを備え、前記受信センサー部はＩＲ受信センサーを備え、
前記受信センサー部の前記ＩＲ受信センサーがユーザの両肩に付着されること、
ることを特徴とするサービス提供システム。
【請求項１４】
前記受信センサー部と前記携帯端末が分離して備えられることを特徴とする請求項１３に記載のサービス提供システム。
【請求項１５】
前記ユーザ位置認識のためのセンシングドメインを更に含むことを特徴とする請求項１３に記載のサービス提供システム。
【請求項１６】
前記センシングドメインはユーザの肩より小さく形成されることを特徴とする請求項１５に記載のサービス提供システム。
【請求項１７】
前記ユーザコンテキストが、前記ユーザＩＤ情報、２つの座標である位置情報、及び時間情報を含むことを特徴とする請求項１３に記載のサービス提供システム。
【請求項１８】
前記サーバーが、前記位置情報を用いてユーザ方位を算出し、前記算出したユーザ方位とサービスデバイスのうち位置した方位が一致する少なくとも１つに前記ユーザアテンションがあると判断することを特徴とする請求項１３に記載のサービス提供システム。
【請求項１９】
前記サーバーが、前記ユーザアテンションのあること判断されたサービスデバイスがサービスを提供するために必要な情報をフィルタリングし、前記フィルタリングした情報に該当するサービスを提供することを特徴とする請求項１８に記載のサービス提供システム。
【請求項２０】
前記発信センサー部が、前記ユーザの位置した領域にグリッド状で複数のＩＲセンサーを含むことを特徴とする請求項１３に記載のサービス提供システム。
【請求項２１】
前記携帯端末が、移動通信端末、ＰＤＡ、ＰＭＰの少なくともいずれか１つであることを特徴とする請求項１３に記載のサービス提供システム。
【請求項２２】
前記ユーザアテンションが前記サービス提供装置に向っていると判断されれば、既に他のユーザにサービスを提供していても複数のユーザにサービスを提供することを特徴とする請求項１３に記載のサービス提供システム。
【発明の詳細な説明】
【技術分野】
【０００１】
本発明はサービス提供方法及びそのサービスを提供する装置に関し、詳細には、ユーザにサービス提供を行なうことにおいて、ユーザの位置のみならずユーザのコンテキストを考慮して個人化されたマルチメディア及び情報サービスを提供するサービス提供方法及びその装置に関する。
【背景技術】
【０００２】
最近、ユビクォトスコンピュータ時代になるにつれ一人のユーザが数多いコンピューターと様々な通信装置を所有し、かかる通信装置を利用してサービス提供を受ける環境への変化が加速化されつつある。
【０００３】
具体的に、多数の通信装置を利用した無線通信環境において、移動性を基盤にしてユーザが自由に移動しながらもマルチメディア及び情報サービスなどのサービス提供が受けられるようになった。このような新しい環境への変化に適したユビクォトス概念により、ユーザは一層便利な新しいサービス提供に対する要求が増加している。
【０００４】
図１は従来のサービス提供方法を説明するために提供された図面である。
同図に示すように、従来のサービス提供方法は「Ｓｔｅｅｒｉｎｇ  ｏｆ  ｄｉｒｅｃｔｉｏｎａｌ  ｓｏｕｎｄ  ｂｅａｍｓ」システムによる音楽サービスとして、特定の領域に位置しているユーザに音楽サービスを提供する。
【０００５】
特定領域に位置しているユーザは自分に近接した位置にあるスピーカーを通じて音楽の提供を受ける。また、ユーザの位置を認識しユーザが位置移動しても音響がユーザに届く。
【０００６】
この時、一般の人が聞くことのできる音響の波長は四方で広がる性質を持っていることから、音響をユーザが希望する場所にのみ伝達させるためには、音響が広がらず１ヶ所に集めることのできる技術が必要であった。
【０００７】
図２は図１のサービス提供方法を概念的に示した図面である。図２を参照すれば、音響が広がらずユーザの位置した特定領域にだけ音楽を提供するため、空気中にて直進性を有する超音波を使っている。これで、特定領域に位置しているユーザと近接した位置にあるスピーカーを介して希望する場所へのみ音響を集中させることができることから、周辺にいる他人には届かない。
【０００８】
ところが、従来のサービス提供方法は、音響サービスの提供にのみ限る限界がある。そして、ユーザの位置だけを考慮しサービス提供を行なったのでユーザのアテンションが希望するサービスにいない場合であってもユーザにサービスが提供される問題がある。
【０００９】
したがって、音響のみならず様々なマルチメディア及び情報を増強、修正／管理、及び共有する範囲まで確張しサービス提供できる方法が求められている。また、ユーザの位置のみならずユーザのアテンションがサービスに向っているなどの様々なユーザのコンテキストを認識し、これを反映する方法が求められている。
【特許文献１】韓国公開特許第２００５−０６３４１３号公報
【特許文献２】米国公開特許第２００３−００５２９１１号公報
【特許文献３】韓国公開特許第２００４−０９３１３６号公報
【特許文献４】韓国公開特許第２００２−０４２８５０号公報
【発明の開示】
【発明が解決しようとする課題】
【００１０】
本発明の目的は、ユーザのコンテキストによって個人化されたマルチメディア及び情報を増強、修正／管理、及び共有することができるようユーザコンテキストが考慮されたサービス提供方法及びその装置を提供することにある。
【課題を解決するための手段】
【００１１】
本発明に係るユーザのコンテキストを考慮したサービス提供方法は、受信したユーザコンテキストを用いてユーザ方位を算出するステップと、前記算出されたユーザ方位とユーザ位置領域の環境情報ソースとを比較するステップと、前記比較結果に応じてユーザアテンションがあるか否かを判断するステップと、前記ユーザアテンションがあると判断されれば、前記ユーザアテンションのあるサービスを提供するステップと、を含む。
【００１２】
そして、前記ユーザコンテキストが、ユーザＩＤ情報、時間情報、及び位置情報を含むことが好ましい。
【００１３】
前記ユーザ方位の算出ステップが、前記位置情報を用いて前記ユーザ方位を算出することが好ましい。
【００１４】
なお、前記環境情報ソースが、ユーザ位置情報に該当する領域に存在するサービスデバイスが位置した方位情報であり、前記比較ステップが、ユーザがみている方向と前記サービスデバイスが位置した方向とを比較することが好ましい。
【００１５】
好ましくは、前記判断ステップが、前記ユーザがみている方向と前記サービスデバイスのうち位置した方向が一致する少なくとも１つに前記ユーザアテンションがあると判断する。
【００１６】
そして、前記ユーザアテンションがあると判断すれば、前記サービス提供に必要な情報をフィルタリングするステップを更に含む。
【００１７】
詳細には、前記フィルタリングステップが、前記ユーザアテンションのあるサービスデバイス情報をフィルタリングし、前記フィルタリングした前記サービスデバイス情報に該当するユーザ情報をフィルタリングすることが好ましい。
【００１８】
さらに、前記サービス提供ステップが、ユーザ移動によってサービスを提供する領域が変化する地点にて、前記移動経路に位置する他のサービスデバイスを同時に活性化させることが好ましい。
【００１９】
そして、前記サービス提供ステップが、前記サービス提供中である前記サービスデバイスに他のユーザアテンションがあると判断すれば、前記サービスが共有されるべく提供することが好ましい。
【００２０】
一方、本発明に係るサービス提供装置は、受信したユーザコンテキストを利用してユーザ方位を算出し、前記算出されたユーザ方位とユーザ位置領域の環境情報ソースを比較してユーザアテンションがあるか否かを判断し、前記ユーザアテンションがあると判断されれば、前記ユーザアテンションのあるサービスを提供する。
【００２１】
そして、前記ユーザコンテキストが、ユーザＩＤ情報、時間情報、及び位置情報を算出することが好ましい。
【００２２】
前記ユーザ方位が、前記位置情報を利用して前記ユーザ方位を算出することが好ましい。
【００２３】
好ましくは、前記環境情報ソースが、ユーザ位置情報に該当する領域に存在するサービスデバイスが位置した方位情報であり、前記サービス提供装置が、ユーザがみている方向と前記サービスデバイスが位置した方向とを比較する。
【００２４】
この際、前記サービス提供装置が、前記ユーザがみている方向と前記サービスデバイスのうち位置した方向が一致する少なくとも１つに前記ユーザアテンションがあると判断する。
【００２５】
そして、前記ユーザアテンションがあると判断されれば、前記サービス提供に必要な情報をフィルタリングする。
【００２６】
好ましくは、前記ユーザアテンションのあるサービスデバイス情報をフィルタリングし、前記フィルタリングした前記サービスデバイス情報に該当するユーザ情報をフィルタリングする。
【００２７】
そして、前記サービス提供装置が、ユーザ移動によってサービスを提供する領域が変化する地点にては前記移動経路に位置する他のサービスデバイスを同時に活性化させることが好ましい。
【００２８】
前記サービス提供装置が、前記サービス提供中である前記サービスデバイスに他のユーザアテンションがあると判断されれば、前記サービスが共有されるべく提供することを特徴とする。
【００２９】
また、本発明に係るサービス提供システムは、ユーザ位置認識のためにＩＤ信号を発信する発信センサー部と、前記発信されたＩＤ信号を受信する受信センサー部とを含み、前記受信したＩＤ信号によるユーザ位置情報を含んだユーザコンテキストを送信する携帯端末と、前記携帯端末から受信した前記ユーザコンテキストを利用してサービスを提供するサーバーと、を含む。
【００３０】
そして、前記発信センサー部はＩＲ発信センサーを備え、前記受信センサー部はＩＲ受信センサーを備えることが好ましい。
【００３１】
さらに、前記受信センサー部と前記携帯端末が分離して備えられることが好ましく、前記受信センサー部の前記ＩＲ受信センサーがユーザの両肩に付着されることが好ましい。
【００３２】
また、前記ユーザ位置認識のためのセンシングドメインを更に含むことがよい。
【００３３】
この際、前記センシングドメインはユーザの肩より小さく形成されることが好ましい。
【００３４】
また、前記ユーザコンテキストが、前記ユーザＩＤ情報、位置情報、及び時間情報を含むことがよい。
【００３５】
なお、前記サーバーが、前記位置情報を用いてユーザ方位を算出し、前記算出したユーザ方位とサービスデバイスのうち位置した方位が一致する少なくとも１つに前記ユーザアテンションがあると判断することが好ましい。
【００３６】
さらに、前記サーバーが、前記ユーザアテンションのあること判断されたサービスデバイスがサービスを提供するために必要な情報をフィルタリングし、前記フィルタリングした情報に該当するサービスを提供することを特徴とする。
【００３７】
前記発信センサー部が、前記ユーザの位置した領域にグリッド状で複数のＩＲセンサーを含むことが好ましく、前記携帯端末が、移動通信端末、ＰＤＡ、ＰＭＰの少なくともいずれか１つであることが好ましい。
【００３８】
ここで、前記ユーザの前領域に位置したサービス提供装置は前記ユーザ移動によって順次活性化されることが好ましい。
【００３９】
さらに、前記ユーザアテンションが前記サービス提供装置に向っていると判断されれば、既に他のユーザにサービスを提供していても複数のユーザにサービスを提供することが好ましい。
【発明の効果】
【００４０】
本発明によると、様々なマルチメディア及び情報サービスの提供を受けることのみならず、ユーザ個々人の意図を反映した個人化されたサービスの提供を可能にするので、ユーザの便宜性が増大される。
【発明を実施するための最良の形態】
【００４１】
以下、添付された図面に基づいて本発明の好適な実施形態を詳述する。
（実施形態）
図３は本発明の一実施の形態に係るサービス提供装置が適用されたサービス提供システムを示した図面である。
【００４２】
本サービス提供装置は、増強された様々なマルチメディア及び情報サービスを提供する。この時、様々なマルチメディア及び情報サービスを提供するにおいて、本サービス提供装置は、ユーザの位置のみならずユーザのコンテキストを考慮することによりユーザ個々人の意図を反映した個人化されたサービスを提供する。ここで、ユーザコンテキストはユーザＩＤ情報、時間情報、及び位置情報などを含む。
【００４３】
図３を参照すれば、サービス提供システムは発信センサー部３１０、受信センサー部３２０、携帯端末３３０、サーバー３４０、及びＤＴＶ３５０を含んでなる。
【００４４】
発信センサー部３１０は、ユーザの位置追跡のため空間の天井にグリッド状の複数のＩＲ発信センサーを所定間隔で備え、各ＩＲセンサーは各位置によるＩＤ信号を伝送する。
【００４５】
受信センサー部３２０は、ＩＲ受信センサーを備え、発信センサー部３１０から各位置に該当するＩＤ信号を受信しユーザの位置を認識する。
【００４６】
携帯端末３３０は、ユーザが携帯可能な装置であって、一例として、移動通信端末、ＰＤＡ、及びＰＭＰなどがある。携帯端末３３０は受信センサー部３２０からユーザの位置情報を受信する。
【００４７】
ここで、携帯端末３３０は、受信センサー部３２０と分離して具備されると図示しかつ説明したが、これは一例過ぎない。よって、携帯端末３３０に受信センサー部３２０が一体で具備され得る。
【００４８】
サーバー３４０は、携帯端末３３０からユーザのコンテキストを受信し、受信したユーザコンテキストを考慮したサービスを提供するサービス提供装置の一実施の形態である。ここで、サーバー３４０は通常、電源をつけておく冷蔵庫を利用したり、あるいは後述するＤＴＶ３５０などを利用して構築することができ、別のＡＶゲートウェイで構築することもできる。
【００４９】
具体的に、サーバー３４０は、携帯端末３３０から受信したコンテキストに含まれた位置情報を利用してユーザの方位を算出する。そして、サーバー３４０は算出したユーザの方位を利用してユーザのアテンションを認識し、ユーザのアテンションのあるサービスをユーザに提供する。この時、サーバー３４０にはユーザの携帯端末３３０が登録されていなければならない。
【００５０】
一例として、サーバー３４０はユーザの方位がＤＴＶ３５０方向であればユーザのアテンションがＤＴＶ３５０にあると認識し、ＤＴＶ３５０に電源を印加させる。ここで、ＤＴＶ３５０は、ユーザにサービスを提供するデバイスの一例として、サーバー３４０の制御に応じてマルチメディアサービスをユーザに提供する。
【００５１】
また、図示されていないが、サーバー３４０は映画、音楽などのようなマルチメディアサービス、株式、天気などのような情報サービス、ドアの開き／閉まり、照明、ガスバルブ、水道水のオン／オフなどのような便宜サービスなどを提供することができる。
【００５２】
図４は本発明の一実施形態に係るユーザの位置認識方法を説明するために示した図面で、図５は本発明の一実施形態に係るユーザの方位認識方法を説明するための図面である。
【００５３】
同図に示すように、ユーザの位置認識を行なうためにユーザの両肩上に受信センサー３２２、３２４を付着する。左側の肩上に付着した受信センサー３２２がセンシングする座標は（ｘ１、ｙ１）であり、右側の肩上に付着した受信センサー３２４がセンシングする座標は（ｘｒ、ｙｒ）である。
【００５４】
両肩の受信センサー３２２、３２４は発信センサー部３１０からＩＤ信号を受信しユーザの位置、すなわち座標を認識する。携帯端末３３０は受信センサー３２２、３２４からユーザの位置情報、すなわち２つの座標を受信する。そして、サーバー３４０は携帯端末３３０から受信した２つの座標を利用して東西南北を基準にユーザの方位、すなわちユーザがみている方向の情報を算出する。
【００５５】
図５を参照すれば、各円はユーザの方位を算出するため信号のセンシング領域を示している。ユーザが元の場所から矢印方向に回転移動すると、最大に１２方位まで認識できる。
【００５６】
サーバー３４０は信号の重畳領域を独立的なセンシング領域にし方位を算出することにより、１つの信号を受信し方位算出を行なう場合より正確に方位算出できる。また、サーバー３４０は、ユーザの肩の広さは人によって相違するが、平均的に４０ｃｍ〜５０ｃｍで推正し、方位算出のための各センシング領域の範囲を５０ｃｍ以下に調節することによって、２つの受信センサー３２２、３２４が同じセンシング領域に入らないようにする。
【００５７】
（式１）はサーバー３４０がユーザ位置を利用してユーザの方位を算出したものである。
【００５８】
【数１】
0004699338.tif 000002
サーバー３４０は、（式１）によって受信センサー３２２、３２４の認識したユーザの位置、すなわち、座標（ｘｌ、ｙｌ）、（ｘｒ、ｙｒ）を利用してユーザの方位を算出する。具体的に、サーバー３４０はｘｌ＜ｘｒであり、ｙｌ＝ｙｒであれば方位を０°に算出し、ｘｌ＜ｘｒであり、ｙｌ＜ｙｒであればθに算出する。ｘｌ＝ｘｒでｙｌ＜ｙｒであれば方位を９０°で算出し、ｘｌ＞ｘｒでありｙｌ＜ｙｒであればθ＋９０°に算出する。そして、ｘｌ＞ｘｒでありｙｌ＝ｙｒであれば方位を１８０°に算出し、ｘｌ＞ｘｒでありｙｌ＞ｙｒであればθ＋１８０°に算出する。また、サーバー３４０はｘｌ＝ｘｒでありｙｌ＞ｙｒであれば方位を２７０°に算出し、ｘｌ＜ｘｒでありｙｌ＞ｙｒであればθ＋２７０°に算出する。
【００５９】
図６は本発明の一実施形態に係るユーザコンテンストを考慮したサービス提供装置のサービス提供方法を説明するためのフローチャートである。
【００６０】
同図に示すように、サーバー３４０はユーザの携帯端末３３０から受信したコンテキストによってユーザプロファイルを認識する（Ｓ６００）。この時、サーバー３４０にはユーザの携帯端末３３０が登録されており、登録された携帯端末３３０を所有しているユーザに対する情報が保存されている。サーバー３４０はユーザを確認するため登録された携帯端末３３０を介して指紋認識、虹彩認識、及び顔認識などを利用しユーザプロファイルを認識することでユーザ判別を行なうことができる。
【００６１】
サーバー３４０は、携帯端末３３０から受信したコンテキストに含まれた位置情報に基づいてユーザの方位を算出し認識する（Ｓ６１０）。
【００６２】
また、サーバー３４０は、認識されたユーザの方位とユーザ位置領域の環境情報ソースを比較する（Ｓ６２０）。ユーザの位置領域の環境情報ソースは携帯端末３３０から受信したコンテキストに含まれたユーザの位置情報に該当する領域に存在する対象物に対する方位情報である。すなわち、ユーザが位置した領域にあるサービスを提供するデバイスが存在し、そのデバイスの方位、すなわちそのデバイスが位置した方向情報を示す。具体的には、サーバー３４０はユーザがみている方向とサービスデバイスが位置した方向とを比較するものである。
【００６３】
サーバー３４０は比較結果に基づいてユーザのアテンションを判断し（Ｓ６３０）、ユーザのアテンションがあるか否かを判断する（Ｓ６４０）。詳細には、サーバー３４０がユーザの方位情報とサービスデバイスの方位情報とを比較して特定サービスデバイスとの方位情報が一致すれば、ユーザがその特定サービスデバイスをみていると判断する。つまり、サーバー３４０はその特定サービスデバイスにユーザのアテンションがあり、その特定サービスデバイスのサービスの提供を受ける意向があると判断する。
【００６４】
ユーザのアテンションがあると判断されれば（Ｓ６４０−Ｙ）、サーバー３４０はユーザに必要な情報をフィルタリングする（Ｓ６５０）。サーバー３４０はユーザが位置した領域に存在するサービスデバイスのうちユーザアテンションのあるサービスデバイス情報のみをフィルタリングする。そして、サーバー３４０は保存しているユーザに対する情報のうちユーザのアテンションがあるサービスデバイスに対する情報があるか否かを確認する。一例として、ユーザのアテンションのあるサービスデバイスがＤＴＶ３５０の場合、サーバー３４０はＤＴＶ３５０情報をフィルタリングし、ユーザが好むチャネルやプログラムなどが保存されているか否かを確認する。ユーザの好むチャネルやプログラムが保存されている場合、サーバー３４０はその情報をフィルタリングする。
【００６５】
一方、ユーザが好むチャネルやプログラムが保存されていなければサーバー３４０はユーザの携帯端末３３０またはＤＴＶ３５０を介してユーザがサービスを、願望するチャネルやプログラムを選択することができる。この場合、サーバー３４０はユーザが選択したチャネルやプログラムに対する情報をフィルタリングする。
【００６６】
そして、サーバー３４０はフィルタリングした情報に該当するサービスを提供する（Ｓ６６０）。この時、サーバー３４０はユーザの移動によってサービスを提供するデバイスの領域が変化する地点にてユーザが移動している経路に位置する他のサービスデバイスを同時に活性化させる。これは、ユーザが移動しながらサービスを利用する場合、サービスの途切れる現象を防止するためである。
【００６７】
また、サービス提供中に他のユーザのアテンションがサービス提供中であるサービスデバイスにあると判断されれば、サーバー３４０はサービスが共有されるべく提供する。具体的には、あるユーザにＤＴＶ３５０サービス提供中に他のユーザのアテンションもＤＴＶ３５０に存在すると判断すれば、サーバー３４０は各ユーザの携帯端末またはＤＴＶ３５０を介して二人のユーザがサービスを希望するチャネルやプログラムを選択できるようにする。これは、多くのユーザが願望するサービスの衝突を抑え、サービスの共有ということを図るためである。
【００６８】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００６９】
【図１】従来のサービス提供方法を説明するための図である。
【図２】図１のサービス提供方法を概念的に示した図である。
【図３】本発明の一実施形態に係るサービス提供装置が適用されたサービス提供システムを示した図である。
【図４】本発明の一実施形態に係るユーザの位置認識方法を説明するための図である。
【図５】本発明の一実施形態に係るユーザの方位認識方法を説明するための図である。
【図６】本発明の一実施形態に係るユーザコンテンストを考慮したサービス提供装置のサービス提供方法を説明するためのフローチャートである。
【符号の説明】
【００７０】
３１０      発信センサー部
３２０      受信センサー部
３３０      携帯端末
３４０      サーバー
３５０      ＤＴＶ
【図１】
0004699338.tif 000003
【図２】
0004699338.tif 000004
【図３】
0004699338.tif 000005
【図４】
0004699338.tif 000006
【図５】
0004699338.tif 000007
【図６】
0004699338.tif 000008